【手続補正書】
【提出日】平成16年10月25日(2004.10.25)
【手続補正１】
【補正対象書類名】明細書
【補正対象項目名】特許請求の範囲
【補正方法】変更
【補正の内容】
【特許請求の範囲】
【請求項１】
光ファイバを収納し保持することができる光ファイバ保持部品であって、前記光ファイバ保持部品は、光ファイバを巻いて収納することができる少なくとも１つの収納ユニットを有しており、少なくとも１つの前記収納ユニットは、少なくとも、対向して配置されている一対の側壁と少なくとも１つの前記側壁に配置されている複数の弾性体の突起とを有しており、前記少なくとも１つの収納ユニットの側壁に配置されている前記突起は、前記少なくとも一対の側壁のうちの少なくとも一方の側壁の、以下において側壁内部ともいう位置、すなわち、その側壁の外周よりも前記収納ユニットの内側の位置に複数ヶ所、前記一方の側壁からその側壁に対向して配置されている他方の側壁の方向に向けて突き出している弾性体の突起として形成されており、複数の前記突起は、その形成されている側壁から突き出している該突起の長さが、該突起の長さ方向の中心線に直交する断面における前記断面の中心を通るように測った径寸法の最大値よりも大きい、以下において細長形状とも称する形状であることを特徴とする光ファイバ保持部品。
【請求項２】
請求項１に記載の光ファイバ保持部品において、少なくとも１つの前記収納ユニットに、光ファイバを巻き付けることが出来るリール胴体を有しており、前記リール胴体は、前記対向して配置されている一対の側壁の少なくとも一部に接続あるいは近接して配置されていることを特徴とする光ファイバ保持部品。
【請求項３】
請求項１または２に記載の光ファイバ保持部品において、少なくとも１つの前記側壁とその側壁に形成されている複数の突起と前記側壁に接続されているリール胴体とが一体に形成されていることを特徴とする光ファイバ保持部品。
【請求項４】
請求項１〜３のいずれか１項に記載の光ファイバ保持部品において、複数の前記突起が棒状であることを特徴とする光ファイバ保持部品。
【請求項５】
請求項１〜４のいずれか１項に記載の光ファイバ保持部品において、複数の前記弾性体の突起が、前記突起が設けられている位置における側壁表面の法線に対して、前記突起の、以下において長さ方向の中心線とも称する長さ方向の平均的中心軸に相当する仮想の軸が、所定の角度θ１だけ前記光ファイバ収納部の内側に向けて形成されていることを特徴とする光ファイバ保持部品。  
【請求項６】
請求項５に記載の光ファイバ保持部品において、前記所定の角度θ１の大きさが１０度以下であることを特徴とする光ファイバ保持部品。
【請求項７】
請求項１〜６のいずれか１項に記載の光ファイバ保持部品において、少なくとも１つの収納ユニットの側壁に設けられている前記突起の長さ方向の中心線が、前記側壁の外周に沿った一方の方向に所定の角度θ３だけ傾いているように突起が形成されていることを特徴とする光ファイバ保持部品。
【請求項８】
請求項７に記載の光ファイバ保持部品において、前記所定の角度θ３の大きさが１０度以下であることを特徴とする光ファイバ保持部品。
【請求項９】
請求項１〜８のいずれか１項に記載の光ファイバ保持部品において、複数の前記突起は、それが設けられている側壁の中心点と前記突起の付け根部分の中心点と前記突起の中心線上の先端とを含む断面において、前記突起の、その配置されている側壁の径方向外側と内側の輪郭の接線が、前記突起の付け根近傍と前記突起の先端部の前記輪郭の変化の大きい部分を除いて、１５度以下の所定の角度θ２をなして前記突起の先端部分が付け根部分より細くなるように形成されていることを特徴とする光ファイバ保持部品。
【請求項１０】
請求項１〜９のいずれか１項に記載の光ファイバ保持部品において、少なくとも１つの収納ユニットの複数の前記弾性体の突起の太さは、前記突起の長さ方向の中央部の平均径が０．４〜２ｍｍであることを特徴とする光ファイバ保持部品。
【請求項１１】
請求項１〜１０のいずれか１項に記載の光ファイバ保持部品において、少なくとも１つの収納ユニットの前記弾性体の突起の先端部形状は、その形成されている側壁の中心を含む断面において、曲率半径が０．２〜１ｍｍの円であることを特徴とする光ファイバ保持部品。
【請求項１２】
請求項１〜１２のいずれか１項に記載の光ファイバ保持部品において、前記突起が、その先端近傍の径が付け根近傍の径よりも細くなっている突起であることを特徴とする光ファイバ保持部品。
【請求項１３】
請求項１〜１２のいずれか１項に記載の光ファイバ保持部品において、少なくとも１つの前記弾性体の突起の長さが前記一対の対向して配置されている両方の側壁の間隔の４分の１以上の長さであることを特徴とする光ファイバ保持部品。
【請求項１４】
請求項１３に記載の光ファイバ保持部品において、少なくとも１つの前記弾性体の突起の長さが前記一対の対向して配置されている両方の側壁の間隔の２分の１以上であることを特徴とする光ファイバ保持部品。
【請求項１５】
請求項１４に記載の光ファイバ保持部品において、少なくとも１つの前記弾性体の突起の長さが前記一対の対向して配置されている両方の側壁の間隔よりも０．０５〜０．１５ｍｍ短い長さであることを特徴とする光ファイバ保持部品。
【請求項１６】
請求項１〜１５のいずれか１項に記載の光ファイバ保持部品において、少なくとも一対の対向して配置されている前記側壁に形成されている弾性体の突起が、前記一対の側壁のうちの片方の側壁にのみ形成されていることを特徴とする光ファイバ保持部品。
【請求項１７】
請求項１６に記載の光ファイバ保持部品において、２つの前記弾性体の突起が、当該側壁におけるその突起の付け根部分の隙間がないかまたは前記両突起の付け根部分の外接円の直径の平均値の２倍より小さい状態の隙間になるように形成されている場合に、その２つの突起を突起対と定義して、前記少なくとも一つの収納ユニットの少なくとも１つの側壁に前記単独の突起と前記突起対のずれか一方または双方が２４個形成されていることを特徴とする光ファイバ保持部品。
【請求項１８】
請求項１７に記載の光ファイバ保持部品において、互いに隣り合って形成されている前記単独の突起の中心位置あるいは突起対の中心位置が前記側壁の中心に対して１５度の中心角を張るように、当該突起あるいは突起対が配置されていることを特徴とする光ファイバ保持部品。
【請求項１９】
請求項１〜１５のいずれか１項に記載の光ファイバ保持部品において、前記側壁に形成されている弾性体の突起が、対向して配置されている前記一対の側壁の、以下において第１の側壁とも称する一方の側壁と以下において第２の側壁とも称する他方の側壁の両方の側壁に形成されていることを特徴とする光ファイバ保持部品。
【請求項２０】
請求項１９に記載の光ファイバ保持部品において、前記両方の側壁に形成されている弾性体の突起の少なくとも一対は、前記両方の側壁の対向する位置にそれぞれ配置されていることを特徴とする光ファイバ保持部品。
【請求項２１】
請求項１９に記載の光ファイバ保持部品において、前記第１の側壁の前記弾性体の突起が配置されている位置に対向している前記第２の側壁の位置には前記弾性体の突起が配置されておらず、かつ、前記第２の側壁の前記弾性体の突起が配置されている位置に対向している前記第１の側壁の位置には前記弾性体の突起が配置されていないことを特徴とする光ファイバ保持部品。
【請求項２２】
請求項２１に記載の光ファイバ保持部品において、少なくとも一対の対向して配置されている前記第１と第２の側壁のそれぞれに形成されている弾性体の突起が、前記第１の側壁に形成されている弾性体の突起と前記第２の側壁に形成されている弾性体の突起が、前記側壁の周方向において交互に配置されるように形成されていることを特徴とする光ファイバ保持部品。
【請求項２３】
請求項１９〜２２のいずれか１項に記載の光ファイバ保持部品において、前記第１の側壁に形成されている突起と、前記側壁の週方向においてその隣に形成されている前記第２の側壁上の突起の長さの合計が、前記両方の側壁の間隔の２分の１よりも長いことを特徴とする光ファイバ保持部品。
【請求項２４】
請求項２３に記載の光ファイバ保持部品において、前記第１の側壁に形成されている突起と、その隣に形成されている前記第２の側壁上の突起の長さの合計が、前記両方の側壁の間隔よりも０．０５〜０．１５ｍｍ短い値であることを特徴とする光ファイバ保持部品。
【請求項２５】
請求項１９〜２３のいずれか１項に記載の光ファイバ保持部品において、前記第１の側壁に形成されている突起の長さと、その直近で前記第２の側壁上に形成されている突起の長さの合計が、前記両方の側壁の間隔よりも０．０５〜０．２４ｍｍ長い値であることを特徴とする光ファイバ保持部品。
【請求項２６】
請求項１９〜２５のいずれか１項に記載の光ファイバ保持部品において、前記少なくとも一つの収納ユニットの一対の側壁のいずれか一方または双方に形成されている前記単独の突起の中心位置あるいは突起対の中心位置が、それぞれ前記収納ユニットの側壁の周方向において等間隔になるように当該突起が配置されていることを特徴とする光ファイバ保持部品。
【請求項２７】
請求項１９〜２６のいずれか１項に記載の光ファイバ保持部品において、互いに隣り合って形成されている前記単独の突起の中心位置あるいは突起対の中心位置が前記側壁の中心に対して７．５度の中心角を張るように、当該突起あるいは突起対が配置されていることを特徴とする光ファイバ保持部品。
【請求項２８】
請求項１〜２７のいずれか１項に記載の光ファイバ保持部品において、前記弾性体の突起を有する側壁のうちの少なくとも１つの側壁は、以下において両側に突起を有する側壁とも称する側壁、すなわちその一方の側と他方の側の両側に前記突起をそれぞれ複数個有する側壁であることを特徴とする光ファイバ保持部品。
【請求項２９】
請求項１〜２８のいずれか１項に記載の光ファイバ保持部品において、前記突起の少なくとも１つが、その配置されている側壁の径方向の寸法よりも前記側壁の外周に沿った方向の寸法が大きい、以下において帯状の突起あるいは帯状突起とも称する形状の突起であることを特徴とする光ファイバ保持部品。
【請求項３０】
請求項２９に記載の光ファイバ保持部品において、少なくとも１つの前記側壁の同一側に前記帯状の突起が複数個設けられていることを特徴とする光ファイバ保持部品。
【請求項３１】
請求項２〜３０のいずれか１項に記載の光ファイバ保持部品において、前記リール胴体が、前記側壁の一方の側と他方の側の両側に設けられていることを特徴とする光ファイバ保持部品。
【請求項３２】
請求項３１に記載の光ファイバ保持部品において、前記側壁の一方の側に形成されているリール胴体と他方の側に形成されているリール胴体は、前記側壁の法線方向の寸法が異なることを特徴とする光ファイバ保持部品。
【請求項３３】
請求項１〜３２のいずれか１項に記載の光ファイバ保持部品において、前記弾性体の突起を有する側壁のうちの少なくとも１つの側壁は、両側に複数個の突起を有する側壁、すなわち、その一方の側とその裏側の両側に前記突起をそれぞれ複数個有する側壁であることを特徴とする光ファイバ保持部品。
【請求項３４】
請求項３３に記載の光ファイバ保持部品において、前記両側に突起を有する少なくとも１つの側壁の一方の側に設けられている突起と他方の側に設けられている突起の間隔が異なることを特徴とする光ファイバ保持部品。
【請求項３５】
請求項３３または３４に記載の光ファイバ保持部品において、前記両側に突起を有する少なくとも１つの前記側壁の一方の側に設けられている突起と他方の側に設けられている突起の形状と寸法が異なることを特徴とする光ファイバ保持部品。
【請求項３６】
請求項３３〜３５のいずれか１項に記載の光ファイバ保持部品において、前記両側に突起を有する少なくとも１つの側壁の外周からリール胴体の外周面までの距離、すなわち側壁の幅が、前記側壁の一方の側と他方の側とで異なることを特徴とする光ファイバ保持部品。
【請求項３７】
請求項１〜３６のいずれか１項に記載の光ファイバ保持部品において、前記側壁が切り込み部を有する側壁であることを特徴とする光ファイバ保持部品。
【請求項３８】
請求項３７に記載の光ファイバ保持部品において、前記前記切り込み部は、前記突起を有する当該側壁の側にあるリール胴体部まで達している切り込み部であることを特徴とする光ファイバ保持部品。
【請求項３９】
請求項１〜３８のいずれか１項に記載の光ファイバ保持部品において、前記光ファイバ保持部品が第１の収納ユニットと第２の収納ユニットの少なくとも２つの収納ユニットを有しており、前記第１の収納ユニットは少なくとも一対の対向する側壁のいずれか一方または双方に前記弾性体の突起を有する収納ユニットであることを特徴とする光ファイバ保持部品。
【請求項４０】
請求項３９に記載の光ファイバ保持部品において、前記第２の収納ユニットは少なくとも一対の対向する側壁のいずれか一方または双方に前記弾性体の突起を有する収納ユニットであることを特徴とする光ファイバ保持部品。
【請求項４１】
請求項３９に記載の光ファイバ保持部品において、前記第２の収納ユニットは一対の対向して配置された側壁を有しており、前記一対の側壁には前記弾性体の突起が形成されていないことを特徴とする光ファイバ保持部品。
【請求項４２】
請求項３９〜４１のいずれか１項に記載の光ファイバ保持部品において、前記第１の収納ユニットと第２の収納ユニットの側壁とリール胴体と突起がすべて弾性体で形成されていることを特徴とする光ファイバ保持部品。
【請求項４３】
請求項３９〜４２のいずれか１項に記載の光ファイバ保持部品において、前記第１の収納ユニットと第２の収納ユニットが、ユニット接合部品によって一体に接合されように構成されていることを特徴とする光ファイバ保持部品。
【請求項４４】
請求項３９〜４２のいずれか１項に記載の光ファイバ保持部品において、前記第１の収納ユニットと第２の収納ユニットが一体成形された弾性体で一体に形成されていることを特徴とする光ファイバ保持部品。
【請求項４５】
請求項３９〜４３のいずれか１項に記載の光ファイバ保持部品において、前記第２の収納ユニットが前記第１の収納ユニットとは異なる材質で形成されていることを特徴とする光ファイバ保持部品。
【請求項４６】
請求項４５に記載の光ファイバ保持部品において、前記第２の収納ユニットを形成している材質が、収納ユニットに形成された状態で剛体の性質を有する材質であることを特徴とする光ファイバ保持部品。
【請求項４７】
請求項３９〜４６のいずれか１項に記載の光ファイバ保持部品において、前記第１の収納ユニットを前記第２の収納ユニットと一体になるように着脱可能に取り付けることができる接続部が、前記第２の収納ユニットから延在する形で第２の収納ユニットと一体に形成されていることを特徴とする光ファイバ保持部品。
【請求項４８】
請求項３９〜４７のいずれか１項に記載の光ファイバ保持部品において、前記第２の収納ユニットの対向して配置されている一対の側壁のうちの１つは、前記第１の収納ユニットの一対の側壁のうちの第２の収納ユニット側の側壁の裏側になっている部分であることを特徴とする光ファイバ保持部品。
【請求項４９】
請求項３９〜４７のいずれか１項に記載の光ファイバ保持部品において、前記第２の収納ユニットが前記第１の収納ユニットの側壁とは別の対向して配置されている一対の側壁を有していることを特徴とする光ファイバ保持部品。
【請求項５０】
請求項３９〜４９のいずれか１項に記載の光ファイバ保持部品において、前記光ファイバ保持部品が前記第１の収納ユニットまたは前記第２の収納ユニットの２つの収納ユニットの他に第３の収納ユニットを有していることを特徴とする光ファイバ保持部品。
【請求項５１】
請求項５０に記載の光ファイバ保持部品において、前記第３の収納ユニットは前記第１の収納ユニットまたは前記第２の収納ユニットに一体に接続される構造に形成されていることを特徴とする光ファイバ保持部品。
【請求項５２】
請求項５０または５１に記載の光ファイバ保持部品において、前記第３の収納ユニットは対向する一対の側壁を有しており、前記一対の側壁の少なくとも１つは、前記突起を有する側壁であることを特徴とする光ファイバ保持部品。
【請求項５３】
請求項３９〜５２のうちの請求項４４を除くいずれか１項に記載の光ファイバ保持部品において、前記側壁のうちの少なくとも１つの側壁は、前記光ファイバ保持部品を構成する他の部品とは独立につくられて後に、他の２つの側壁の間にはめ込まれて、２つの収納ユニットを形成することができるように構成されていることを特徴とする光ファイバ保持部品。
【請求項５４】
請求項５０〜５３のいずれか１項に記載の光ファイバ保持部品において、前記側壁のうちの少なくとも１つの側壁は、前記両側に突起を有する側壁であることを特徴とする光ファイバ保持部品。
【請求項５５】
請求項５４に記載の光ファイバ保持部品において、前記少なくとも２つの収納ユニットの少なくとも２つの光ファイバ収納部の深さが異なることを特徴とする光ファイバ保持部品。
【請求項５６】
請求項３９〜５５のいずれか１項に記載の光ファイバ保持部品において、前記少なくとも２つの収納ユニットの側壁のうちの異なる収納ユニットの間にある側壁のすくなとも１つは、前記切り込み部を有する側壁であることを特徴とする光ファイバ保持部品。
【請求項５７】
請求項１〜５６のいずれか１項に記載の光ファイバ保持部品において、前記側壁の外周の投影寸法が、直径１０ｃｍの円の内側にある寸法であることを特徴とする光ファイバ保持部品。
【請求項５８】
請求項１〜５７のいずれか１項に記載の光ファイバ保持部品において、前記少なくとも一つの側壁と前記側壁に形成されている突起が、架橋されたフッ素ゴムで形成されていることを特徴とする光ファイバ保持部品。
【請求項５９】
請求項５８に記載の光ファイバ保持部品において、少なくとの１つの収納ユニットの前記リール胴体と前記少なくとも一対の側壁と前記側壁に形成されている突起が、架橋されたフッ素ゴムで形成されていることを特徴とする光ファイバ保持部品。
【請求項６０】
請求項５８または５９に記載の光ファイバ保持部品において、前記光ファイバ保持部品を形成しているフッ素ゴムの硬度が、ショアー（ｓｈｏｒｅ）硬度で７０〜９０であることを特徴とする光ファイバ保持部品。
【請求項６１】
請求項６０に記載の光ファイバ保持部品において、前記光ファイバ保持部品を形成しているフッ素ゴムの硬度が、ショアー（ｓｈｏｒｅ）硬度で７５〜８５であることを特徴とする光ファイバ保持部品。
【請求項６２】
請求項５８〜６１のいずれか１項に記載の光ファイバ保持部品において、前記フッ素ゴムが、ビニリデンフロライド系ゴムまたはテトラフルオロエチレン−パーフルオロビニルエーテル系ゴムであることを特徴とする光ファイバ保持部品。
【請求項６３】
請求項６２に記載の光ファイバ保持部品において、前記フッ素ゴムのフッ素含有量が、６５〜７０％であることを特徴とする光ファイバ保持部品。
【請求項６４】
請求項５８〜６３のいずれか１項に記載の光ファイバ保持部品において、前記フッ素ゴムは、その製造工程において、２５０〜４００℃で１時間以上熱処理されたものであることを特徴とする光ファイバ保持部品。
【請求項６５】
請求項５８〜６４のいずれか１項に記載の光ファイバ保持部品において、前記光ファイバ保持部品は、光ファイバ保持部品に成形されて後、２０４〜２６０℃の環境で後加硫された光ファイバ保持部品であることを特徴とする光ファイバ保持部品。
【請求項６６】
請求項１〜５７のいずれか１項に記載の光ファイバ保持部品において、少なくとの１つの前記収納ユニットの少なくとも一つの前記側壁と前記側壁に形成されている突起が、シリコーンゴムで形成されていることを特徴とする光ファイバ保持部品。
【請求項６７】
請求項６６に記載の光ファイバ保持部品において、前記シリコーンゴムが、可視光に対して不透明な有色のシリコーンゴムであることを特徴とする光ファイバ保持部品。
【請求項６８】
請求項６７に記載の光ファイバ保持部品において、前記有色のシリコーンゴムの色は、前記光ファイバ保持部品の識別に利用できるものであることを特徴とする光ファイバ保持部品。
【請求項６９】
請求項１〜６８のいずれか１項に記載の光ファイバ保持部品において、前記少なくとも一つの収納ユニットの少なくとも１つの前記側壁の主要部分が平板状であることを特徴とする光ファイバ保持部品。
【請求項７０】
長さ５ｍ以内の光ファイバを巻き付けて収納し保持することができる光ファイバ保持部品であって、前記光ファイバ保持部品は、少なくとも、光ファイバを巻き付ける外周形状が円形または楕円形または多角形のリール胴体と、前記リングに接続されあるいは接合されており、かつ、互いに対向して配置されている少なくとも一対の外周形状が円形または楕円形または多角形で平板状の側壁と、前記側壁の外周近傍で、かつ、外周より内側すなわち前記側壁上で前記リール胴体に近い方に寄った位置において、対向配置されている他方の側壁の方向に向けて突き出している弾性体の突起とで、前記リール胴体に巻き付けられた光ファイバを収納し保持することができる光ファイバ収納部を構成しており、前記リール胴体と側壁は中空であることを特徴とする光ファイバ保持部品。
【請求項７１】
光ファイバを巻き付けて収納し保持することができる光ファイバ保持部品において、前記光ファイバ保持部品が架橋されたフッ素ゴムで形成されていることを特徴とする光ファイバ保持部品。
【請求項７２】
請求項７１に記載の光ファイバ保持部品において、前記フッ素ゴムの硬度が、ショアー（ｓｈｏｒｅ）硬度で７０〜９０であることを特徴とする光ファイバ保持部品。
【請求項７３】
請求項７２に記載の光ファイバ保持部品において、前記フッ素ゴムの硬度が、ショアー（ｓｈｏｒｅ）硬度で７５〜８５であることを特徴とする光ファイバ保持部品。
【請求項７４】
請求項７１〜７３のいずれか１項に記載の光ファイバ保持部品において、前記フッ素ゴムが、ビニリデンフロライド系ゴムまたはテトラフルオロエチレン−パーフルオロビニルエーテル系ゴムであることを特徴とする光ファイバ保持部品。
【請求項７５】
請求項７１〜７４のいずれか１項に記載の光ファイバ保持部品において、前記フッ素ゴムのフッ素含有量が、６５〜７０％であることを特徴とする光ファイバ保持部品。
【請求項７６】
請求項７１〜７５のいずれか１項に記載の光ファイバ保持部品において、前記フッ素ゴムは、その製造工程において、２５０〜４００℃で１時間以上熱処理されたものであることを特徴とする光ファイバ保持部品。
【請求項７７】
請求項７１〜７６のいずれか１項に記載の光ファイバ保持部品において、前記フッ素ゴムは、その製造工程において、２６０〜２７０℃で８〜２４時間熱処理されたものであることを特徴とする光ファイバ保持部品。
【請求項７８】
請求項７１〜７７のいずれか１項に記載の光ファイバ保持部品において、前記光ファイバ保持部品は、光ファイバ保持部品に成形されて後、２０４〜２６０℃の環境で後加硫された光ファイバ保持部品であることを特徴とする光ファイバ保持部品。